【手続補正書】
【提出日】平成29年11月7日(2017.11.7)
【手続補正１】
【補正対象書類名】特許請求の範囲
【補正対象項目名】全文
【補正方法】変更
【補正の内容】
【特許請求の範囲】
【請求項１】
ワイヤレス通信システムにおける拡張アイドルモード間欠受信（ｅＩ−ＤＲＸ）動作のための方法であって、
ユーザ機器（ＵＥ）において、短いページングサイクルの少なくとも１つのページングオケージョンを備える短いページング構成を確立することと、
前記ＵＥにおいて、ｅＩ−ＤＲＸサイクルおよび複数のｅＩ−ＤＲＸページング機会を備えるeＩ−ＤＲＸ構成を確立することと、前記ｅＩ−ＤＲＸサイクルは、複数の前記短いページングサイクルを備える、
前記ｅＩ−ＤＲＸ構成および前記短いページング構成に基づいて、ダウンリンクチャネルを監視することと、ここにおいて、前記監視することは、各ｅＩ−ＤＲＸサイクルについて、前記複数のｅＩ−ＤＲＸページング機会のための前記短いページングサイクルに従って、前記ダウンリンクチャネルを監視することを備える、を備える、方法。
【請求項２】
前記ＵＥに関連する前記ダウンリンクチャネル信頼性状態の変化を識別することをさらに備え、前記ダウンリンクチャネル信頼性状態の前記変化を前記識別することが、
第１の基地局カバレージエリアに関して前記ＵＥのモビリティを決定することを備える、請求項１に記載の方法。
【請求項３】
前記ＵＥの前記モビリティを決定することは、
前記ＵＥが前記確立されたｅＩ−ＤＲＸサイクル中に第２の基地局カバレージエリアに移動するだろうことを示すＵＥモビリティ値を決定することを備える、請求項２に記載の方法。
【請求項４】
前記決定されたＵＥモビリティ値に基づいて、調整されたｅＩ−ＤＲＸサイクルを要求することをさらに備える、請求項３に記載の方法。
【請求項５】
前記ＵＥに関連する前記ダウンリンクチャネル信頼性状態の前記変化を識別することは、
前記ｅＩ−ＤＲＸサイクルに基づいてアイドルモード測定を実行することを備え、前記アイドルモード測定が、前記第１の基地局カバレージエリアを有する第１の基地局または第２の基地局カバレージエリアを有する第２の基地局のうちの少なくとも１つの信号強度を測定することを含む、
ここにおいて、前記ダウンリンクチャネルを前記監視することが前記アイドルモード測定に基づく、請求項２に記載の方法。
【請求項６】
前記アイドルモード測定を実行することが、
ｅＩ−ＤＲＸ定義ページングオケージョン（ＰＯ）の前に事前ウェイクアップ時間期間中に前記アイドルモード測定を実行することを備え、ここにおいて、前記事前ウェイクアップ時間期間が前記ｅＩ−ＤＲＸサイクルの関数である、請求項５に記載の方法。
【請求項７】
前記第１の基地局の前記信号強度が、前記第２の基地局の前記信号強度よりも小さく、あらかじめ定義された最小信号強度しきい値を上回るとき、前記ｅＩ−ＤＲＸ定義ＰＯの持続時間の間、前記第１の基地局との接続を維持することと、
前記ｅＩ−ＤＲＸ定義ＰＯの後に前記第２の基地局との接続を確立することとをさらに備える、請求項６に記載の方法。
【請求項８】
前記第１の基地局の前記信号強度が、前記第２の基地局の前記信号強度よりも小さく、あらかじめ定義された最小信号強度しきい値よりも小さいとき、前記ｅＩ−ＤＲＸ定義ＰＯの前に、前記第２の基地局との接続を確立することと、
前記第２の基地局と前記ｅＩ−ＤＲＸ定義ＰＯに参加することとをさらに備える、請求項６に記載の方法。
【請求項９】
システム情報ブロック（ＳＩＢ）の一部として前記事前ウェイクアップ時間期間を受信することをさらに備える、請求項６に記載の方法。
【請求項１０】
前記ダウンリンクチャネル信頼性状態の前記変化に少なくとも部分的に基づいて、前記短いページング構成を確立することをさらに備える、請求項２に記載の方法。
【請求項１１】
前記短いページング構成を確立することは、
前記ダウンリンクチャネル信頼性状態の変化があるとき、前記短いページングサイクルが使用されるべきである監視インスタンスの最大数を確立することを備える、請求項１０に記載の方法。
【請求項１２】
前記ＵＥが、前記ダウンリンクチャネル信頼性状態の前記変化を決定したとき、前記短いページングサイクルと監視インスタンスの前記最大数とに基づいてダウンリンクチャネル監視を実行することをさらに備える、請求項１１に記載の方法。
【請求項１３】
前記短いページングサイクルは、システムフレーム番号（ＳＦＮ）に従って構成され、前記ｅＩ−ＤＲＸサイクルは、前記ＳＦＮを拡張するハイパーＳＮＦに従って構成される、請求項１に記載の方法。
【請求項１４】
前記複数のｅＩ−ＤＲＸページング機会は、前記ｅＩ−ＤＲＸ構成に従った前記ｅＩ−ＤＲＸサイクルの前記複数の前記短いページングサイクルのサブセット内にあるように構成される、請求項１に記載の方法。
【請求項１５】
ワイヤレス通信システムにおける拡張アイドルモード間欠受信（ｅＩ−ＤＲＸ）動作のための装置であって、
プロセッサと、
前記プロセッサと電子通信しているメモリと、
前記メモリに記憶され、前記プロセッサによって実行されたとき、前記装置に、
ユーザ機器（ＵＥ）において、短いページングサイクルの少なくとも１つのページングオケージョンを備える短いページング構成を確立することと、
前記ＵＥにおいて、ｅＩ−ＤＲＸサイクルおよび複数のｅＩ−ＤＲＸページング機会を備えるeＩ−ＤＲＸ構成を確立することと、前記ｅＩ−ＤＲＸサイクルは、複数の前記短いページングサイクルを備える、
前記ｅＩ−ＤＲＸ構成および前記短いページング構成に基づいて、ダウンリンクチャネルを監視することと、ここにおいて、前記監視することは、各ｅＩ−ＤＲＸサイクルについて、前記複数のｅＩ−ＤＲＸページング機会のための前記短いページングサイクルに従って、前記ダウンリンクチャネルを監視することを備える、
を行わせるように動作可能な命令とを備える、装置。
【請求項１６】
前記ＵＥに関連する前記ダウンリンクチャネル信頼性状態の変化を識別するように前記プロセッサによって実行可能な命令をさらに備え、前記ダウンリンクチャネル信頼性状態の前記変化を識別するように前記プロセッサによって実行可能な前記命令は、第１の基地局カバレージエリアに関して前記ＵＥのモビリティを決定するように前記プロセッサによって実行可能な命令を備える、請求項１５に記載の装置。
【請求項１７】
前記ＵＥの前記モビリティを決定するように前記プロセッサによって実行可能な前記命令は、
前記ＵＥが前記確立されたｅＩ−ＤＲＸサイクル中に第２の基地局カバレージエリアに移動するだろうことを示すＵＥモビリティ値を決定するように前記プロセッサによって実行可能な命令を備える、請求項１６に記載の装置。
【請求項１８】
前記決定されたＵＥモビリティ値に基づいて、調整されたｅＩ−ＤＲＸサイクルを要求するように前記プロセッサによって実行可能な命令をさらに備える、請求項１７に記載の装置。
【請求項１９】
前記ＵＥに関連する前記ダウンリンクチャネル信頼性状態の前記変化を識別するように前記プロセッサによって実行可能な前記命令は、
前記ｅＩ−ＤＲＸサイクルに基づいてアイドルモード測定を実行するように前記プロセッサによって実行可能な命令を備え、前記アイドルモード測定が、前記第１の基地局カバレージエリアを有する第１の基地局または第２の基地局カバレージエリアを有する第２の基地局のうちの少なくとも１つの信号強度を測定することを含み、
ここにおいて、前記ダウンリンクチャネルを前記監視することが、前記アイドルモード測定に基づく、請求項１６に記載の装置。
【請求項２０】
アイドルモード測定を実行するように前記プロセッサによって実行可能な前記命令が、
ｅＩ−ＤＲＸ定義ページングオケージョン（ＰＯ）の前に事前ウェイクアップ時間期間中に前記アイドルモード測定を実行するように前記プロセッサによって実行可能な命令を備え、前記事前ウェイクアップ時間期間が前記ｅＩ−ＤＲＸサイクルの関数である、請求項１９に記載の装置。
【請求項２１】
前記ダウンリンクチャネル信頼性状態の前記変化に少なくとも部分的に基づいて、前記短いページング構成を確立するように前記プロセッサによって実行可能な命令をさらに備える、請求項１６に記載の装置。
【請求項２２】
前記短いページングサイクルは、システムフレーム番号（ＳＦＮ）に従って構成され、前記ｅＩ−ＤＲＸサイクルは、前記ＳＦＮを拡張するハイパーＳＮＦに従って構成される、請求項１５に記載の装置。
【請求項２３】
前記複数のｅＩ−ＤＲＸページング機会は、前記ｅＩ−ＤＲＸ構成に従った前記ｅＩ−ＤＲＸサイクルの前記複数の前記短いページングサイクルのサブセット内にあるように構成される、請求項１５に記載の装置。
【請求項２４】
ワイヤレス通信システムの基地局における拡張アイドルモード間欠受信（ｅＩ−ＤＲＸ）動作のための方法であって、
前記基地局によってサービス提供されるユーザ機器（ＵＥ）によって使用されるべき短いページング構成を確立することと、前記短いページング構成は、短いページングサイクルの少なくとも１つのページングオケージョンを備える、
前記ＵＥによって使用されるべきｅＩ−ＤＲＸ構成を確立することと、前記ｅＩ−ＤＲＸ構成は、ｅＩ−ＤＲＸサイクルと複数のｅＩ−ＤＲＸページング機会を備え、前記ｅＩ−ＤＲＸサイクルは、複数の前記短いページングサイクルを備える、
前記ｅＩ−ＤＲＸサイクルおよび前記短いページングサイクルに基づいて、前記ＵＥにページング情報をいつ送信すべきかを調整することと、ここにおいて前記調整することは、各ｅＩ−ＤＲＸサイクルの前記複数のｅＩ−ＤＲＸページング機会のための前記短いページングサイクルに従って、前記ページング情報の送信を調整することを備える、
前記ＵＥにページング情報を送信することとを備える、方法。
【請求項２５】
ページング情報をいつ送信すべきかを前記調整することが、
前記ｅＩ−ＤＲＸサイクルを短縮するための要求を前記ＵＥから受信することと、
前記受信された要求に応答して前記ｅＩ−ＤＲＸサイクルを短縮することとをさらに備える、請求項２４に記載の方法。
【請求項２６】
前記ＵＥのためのｅＩ−ＤＲＸ定義ページングオケージョン（ＰＯ）の前にアイドルモード測定を実行するために、前記ＵＥのための事前ウェイクアップ時間期間を前記ＵＥと確立することをさらに備え、前記アイドルモード測定が、１つまたは複数の基地局の信号強度を測定することを含む、請求項２４に記載の方法。
【請求項２７】
システム情報ブロック（ＳＩＢ）の一部として前記事前ウェイクアップ時間期間をブロードキャストすることをさらに備える、請求項２６に記載の方法。
【請求項２８】
前記短いページング構成を前記確立することは、
前記短いページングサイクルが使用されるべきである監視インスタンスの最大数を確立することとを備える、請求項２４に記載の方法。
【請求項２９】
前記短いページングサイクルと監視インスタンスの前記最大数とに基づいてページング情報を再送信することをさらに備える、請求項２８に記載の方法。
【請求項３０】
モビリティ管理エンティティ（ＭＭＥ）トラッキングエリア内で１つまたは複数の基地局間のシステムフレーム番号（ＳＦＮ）サイクルの同期を確立することをさらに備える、請求項２４に記載の方法。
【請求項３１】
前記ＭＭＥトラッキングエリア内で前記１つまたは複数の基地局と同時にページング情報を再送信することをさらに備える、請求項３０に記載の方法。
【請求項３２】
前記ＵＥがシステムアクセスを実行したことと、前記基地局が前記ＵＥにページング情報を再送信することを停止し得ることとを示すページ停止メッセージをモビリティ管理エンティティ（ＭＭＥ）から受信することをさらに備える、請求項２９に記載の方法。
【請求項３３】
前記短いページングサイクルは、システムフレーム番号（ＳＦＮ）に従って構成され、前記ｅＩ−ＤＲＸサイクルは、前記ＳＦＮを拡張するハイパーＳＮＦに従って構成される、請求項２４に記載の方法。
【請求項３４】
前記複数のｅＩ−ＤＲＸページング機会は、前記ｅＩ−ＤＲＸ構成に従った前記ｅＩ−ＤＲＸサイクルの前記複数の前記短いページングサイクルのサブセット内にあるように構成される、請求項２４に記載の方法。
【請求項３５】
ワイヤレス通信システムの基地局における拡張アイドルモード間欠受信（ｅＩ−ＤＲＸ）動作のための装置であって、
プロセッサと、
前記プロセッサと電子通信しているメモリと、
前記メモリに記憶され、前記プロセッサによって実行されたとき、前記装置に、
前記基地局によってサービス提供されるユーザ機器（ＵＥ）によって使用されるべき短いページング構成を確立することと、前記短いページング構成は、短いページングサイクルの少なくとも１つのページングオケージョンを備える、
前記ＵＥによって使用されるべきｅＩ−ＤＲＸ構成を確立することと、前記ｅＩ−ＤＲＸ構成は、ｅＩ−ＤＲＸサイクルと複数のｅＩ−ＤＲＸページング機会を備え、前記ｅＩ−ＤＲＸサイクルは、複数の前記短いページングサイクルを備える、
前記ｅＩ−ＤＲＸサイクルおよび前記短いページングサイクルに基づいて、前記ＵＥにページング情報をいつ送信すべきかを調整することと、ここにおいて前記調整することは、各ｅＩ−ＤＲＸサイクルの前記複数のｅＩ−ＤＲＸページング機会のための前記短いページングサイクルに従って、前記ページング情報の送信を調整することを備える、
前記ＵＥにページング情報を送信することと、
を行わせるように動作可能な命令とを備える、装置。
【請求項３６】
ページング情報をいつ送信すべきかを調整するように前記プロセッサによって実行可能な前記命令が、
前記ｅＩ−ＤＲＸサイクルを短縮するための要求を前記ＵＥから受信することと、
前記受信された要求に応答して前記ｅＩ−ＤＲＸサイクルを短縮することと、
を前記プロセッサによって実行可能な命令を備える、請求項３５に記載の装置。
【請求項３７】
前記短いページングサイクルは、システムフレーム番号（ＳＦＮ）に従って構成され、前記ｅＩ−ＤＲＸサイクルは、前記ＳＦＮを拡張するハイパーＳＮＦに従って構成される、請求項３５に記載の装置。
【請求項３８】
前記複数のｅＩ−ＤＲＸページング機会は、前記ｅＩ−ＤＲＸ構成に従った前記ｅＩ−ＤＲＸサイクルの前記複数の前記短いページングサイクルのサブセット内にあるように構成される、請求項３５に記載の装置。
【手続補正２】
【補正対象書類名】明細書
【補正対象項目名】０１７９
【補正方法】変更
【補正の内容】
【０１７９】
[0181]本開示についての以上の説明は、当業者が本開示を作成または使用することができるように与えたものである。本開示への様々な変更は当業者には容易に明らかとなり、本明細書で定義した一般原理は、本開示の範囲から逸脱することなく他の変形形態に適用され得る。したがって、本開示は、本明細書で説明した例および設計に限定されるべきでなく、本明細書で開示した原理および新規の特徴に合致する最も広い範囲を与えられるべきである。
以下に本願の出願当初の特許請求の範囲に記載された発明を付記する。
［Ｃ１］
ワイヤレス通信システムにおける拡張アイドル間欠受信（ｅＩ−ＤＲＸ）動作のための方法であって、
ユーザ機器（ＵＥ）において、ｅＩ−ＤＲＸサイクルのための構成を受信することと、
前記ＵＥに関連するダウンリンクチャネル信頼性状態の変化を識別することと、
前記受信されたｅＩ−ＤＲＸサイクルと前記識別されたダウンリンクチャネル信頼性状態とに基づいて、ダウンリンクチャネル監視をいつ実行すべきかを決定することとを備える、方法。
［Ｃ２］
前記ダウンリンクチャネル信頼性状態の前記変化を識別することが、
第１の基地局カバレージエリアに関して前記ＵＥのモビリティを決定することを備える、Ｃ１に記載の方法。
［Ｃ３］
前記ＵＥの前記モビリティを決定することは、
前記ＵＥが前記受信されたｅＩ−ＤＲＸサイクル中に第２の基地局カバレージエリアに移動するだろう可能性を示すＵＥモビリティ値を決定することを備える、Ｃ２に記載の方法。
［Ｃ４］
前記決定されたＵＥモビリティ値に基づいて、調整されたｅＩ−ＤＲＸサイクルを要求することをさらに備える、Ｃ３に記載の方法。
［Ｃ５］
前記ＵＥに関連する前記ダウンリンクチャネル信頼性状態の前記変化を識別することは、
前記ｅＩ−ＤＲＸサイクルに基づいてアイドルモード測定を実行することを備え、前記アイドルモード測定が、第１の基地局カバレージエリアを有する第１の基地局および第２の基地局カバレージエリアを有する第２の基地局のうちの少なくとも１つの信号強度を測定することを含む、
ここにおいて、ダウンリンクチャネル監視をいつ実行すべきかを前記決定することが前記アイドルモード測定に基づく、Ｃ１に記載の方法。
［Ｃ６］
前記アイドルモード測定を実行することが、
ｅＩ−ＤＲＸ定義ページングオケージョン（ＰＯ）の前に事前ウェイクアップ時間期間中に前記アイドルモード測定を実行することを備え、ここにおいて、前記事前ウェイクアップ時間期間が前記ｅＩ−ＤＲＸサイクルの関数である、Ｃ５に記載の方法。
［Ｃ７］
前記第１の基地局の前記信号強度が、前記第２の基地局の前記信号強度よりも小さく、あらかじめ定義された最小信号強度しきい値を上回るとき、前記ｅＩ−ＤＲＸ定義ＰＯの持続時間の間、前記第１の基地局との接続を維持することと、
前記ｅＩ−ＤＲＸ定義ＰＯの後に前記第２の基地局との接続を確立することとをさらに備える、Ｃ６に記載の方法。
［Ｃ８］
前記第１の基地局の前記信号強度が、前記第２の基地局の前記信号強度よりも小さく、あらかじめ定義された最小信号強度しきい値よりも小さいとき、前記ｅＩ−ＤＲＸ定義ＰＯの前に、前記第２の基地局との接続を確立することと、
前記第２の基地局と前記ｅＩ−ＤＲＸ定義ＰＯに参加することとをさらに備える、Ｃ６に記載の方法。
［Ｃ９］
システム情報ブロック（ＳＩＢ）の一部として前記事前ウェイクアップ時間期間を受信することをさらに備える、Ｃ６に記載の方法。
［Ｃ１０］
前記ダウンリンクチャネル信頼性状態の前記変化に少なくとも部分的に基づいて、前記ＵＥによって使用されるべき短いページング構成を確立することをさらに備える、Ｃ１に記載の方法。
［Ｃ１１］
前記短いページング構成を確立することは、
短いページングサイクルを確立することと、前記短いページングサイクルが、前記受信されたｅＩ−ＤＲＸサイクルよりも短く、
前記ダウンリンクチャネル信頼性状態の変化があるとき、前記短いページングサイクルが使用されるべきである監視インスタンスの最大数を確立することとを備える、Ｃ１０に記載の方法。
［Ｃ１２］
前記ＵＥが、前記ダウンリンクチャネル信頼性状態の変化があると決定したとき、前記短いページングサイクルと監視インスタンスの前記最大数とに基づいてダウンリンクチャネル監視を実行することをさらに備える、Ｃ１１に記載の方法。
［Ｃ１３］
ワイヤレス通信システムにおける拡張アイドル間欠受信（ｅＩ−ＤＲＸ）動作のための装置であって、
ユーザ機器（ＵＥ）において、ｅＩ−ＤＲＸサイクルのための構成を受信するための手段と、
前記ＵＥに関連するダウンリンクチャネル信頼性状態の変化を識別するための手段と、
前記受信されたｅＩ−ＤＲＸサイクルと前記識別されたダウンリンクチャネル信頼性状態とに基づいて、ダウンリンクチャネル監視をいつ実行すべきかを決定するための手段とを備える、装置。
［Ｃ１４］
前記ダウンリンクチャネル信頼性状態の前記変化を識別するための前記手段が、
第１の基地局カバレージエリアに関して前記ＵＥのモビリティを決定するための手段を備える、Ｃ１３に記載の装置。
［Ｃ１５］
前記ＵＥの前記モビリティを決定するための前記手段は、
前記ＵＥが前記受信されたｅＩ−ＤＲＸサイクル中に第２の基地局カバレージエリアに移動するだろう可能性を示すＵＥモビリティ値を決定するための手段を備える、Ｃ１４に記載の装置。
［Ｃ１６］
前記決定されたＵＥモビリティ値に基づいて、調整されたｅＩ−ＤＲＸサイクルを要求するための手段をさらに備える、Ｃ１５に記載の装置。
［Ｃ１７］
前記ＵＥに関連する前記ダウンリンクチャネル信頼性状態の前記変化を識別するための前記手段は、
前記ｅＩ−ＤＲＸサイクルに基づいてアイドルモード測定を実行するための手段を備え、前記アイドルモード測定が、第１の基地局カバレージエリアを有する第１の基地局および第２の基地局カバレージエリアを有する第２の基地局のうちの少なくとも１つの信号強度を測定することを含み、
ここにおいて、ダウンリンクチャネル監視をいつ実行すべきかを決定するための前記手段が、前記アイドルモード測定に基づいて、ダウンリンクチャネル監視をいつ実行すべきかを決定するための手段を備える、Ｃ１３に記載の装置。
［Ｃ１８］
アイドルモード測定を実行するための前記手段が、
ｅＩ−ＤＲＸ定義ページングオケージョン（ＰＯ）の前に事前ウェイクアップ時間期間中に前記アイドルモード測定を実行するための手段を備える、Ｃ１７に記載の装置。
［Ｃ１９］
前記ダウンリンクチャネル信頼性状態の前記変化に少なくとも部分的に基づいて、前記ＵＥによって使用されるべき短いページング構成を確立するための手段をさらに備える、Ｃ１３に記載の装置。
［Ｃ２０］
ワイヤレス通信システムにおける拡張アイドル間欠受信（ｅＩ−ＤＲＸ）動作のための方法であって、
ｅＩ−ＤＲＸサイクルのための構成を基地局からユーザ機器（ＵＥ）に送信することと、
前記ｅＩ−ＤＲＸサイクルに基づいて、前記ＵＥにページング情報をいつ送信すべきかを調整することと、
前記ＵＥにページング情報を送信することとを備える、方法。
［Ｃ２１］
ページング情報をいつ送信すべきかを前記調整することが、
前記ｅＩ−ＤＲＸサイクルを短縮するための要求を前記ＵＥから受信することと、
前記受信された要求に応答して前記ｅＩ−ＤＲＸサイクルを短縮することとを備える、Ｃ２０に記載の方法。
［Ｃ２２］
前記ＵＥのためのｅＩ−ＤＲＸ定義ページングオケージョン（ＰＯ）の前にアイドルモード測定を実行するために、前記ＵＥのための事前ウェイクアップ時間期間を前記ＵＥと確立することをさらに備え、前記アイドルモード測定が、１つまたは複数の基地局の信号強度を測定することを含む、Ｃ２０に記載の方法。
［Ｃ２３］
システム情報ブロック（ＳＩＢ）の一部として前記事前ウェイクアップ時間期間をブロードキャストすることをさらに備える、Ｃ２２に記載の方法。
［Ｃ２４］
前記ＵＥおよび前記基地局によって使用されるべき短いページング構成を確立することをさらに備え、前記短いページング構成を確立することは、
短いページングサイクルを確立することと、前記短いページングサイクルが、前記受信されたｅＩ−ＤＲＸサイクルよりも短く、
前記短いページングサイクルが使用されるべきである監視インスタンスの最大数を確立することとを備える、Ｃ２０に記載の方法。
［Ｃ２５］
前記短いページングサイクルと監視インスタンスの前記最大数とに基づいてページング情報を再送信することをさらに備える、Ｃ２４に記載の方法。
［Ｃ２６］
モビリティ管理エンティティ（ＭＭＥ）トラッキングエリア内で１つまたは複数の基地局間のシステムフレーム番号（ＳＦＮ）サイクルの同期を確立することをさらに備える、Ｃ２０に記載の方法。
［Ｃ２７］
前記ＭＭＥトラッキングエリア内で前記１つまたは複数の基地局と同時にページング情報を再送信することをさらに備える、Ｃ２６に記載の方法。
［Ｃ２８］
前記ＵＥがシステムアクセスを実行したことと、前記基地局が前記ＵＥにページング情報を再送信することを停止し得ることとを示すページ停止メッセージをモビリティ管理エンティティ（ＭＭＥ）から受信することをさらに備える、Ｃ２５に記載の方法。
［Ｃ２９］
ワイヤレス通信システムにおける拡張アイドル間欠受信（ｅＩ−ＤＲＸ）動作のための装置であって、
ｅＩ−ＤＲＸサイクルのための構成を基地局からユーザ機器（ＵＥ）に送信するための手段と、
前記ｅＩ−ＤＲＸサイクルに基づいて、前記ＵＥにページング情報をいつ送信すべきかを調整するための手段と、
前記ＵＥにページング情報を送信するための手段とを備える、装置。
［Ｃ３０］
ページング情報をいつ送信すべきかを調整するための前記手段が、
前記ｅＩ−ＤＲＸサイクルを短縮するための要求を前記ＵＥから受信するための手段と、
前記受信された要求に応答して前記ｅＩ−ＤＲＸサイクルを短縮するための手段とを備える、Ｃ２９に記載の装置。